(57)【要約】【課題】建物の基礎と土台間で、床下の通気用に用いられる通気用パッキンについて、施工性を高め、コストの低減とアンカーボルトの耐震性を高めることを目的とする。【解決の手段】  通気用パッキンを布基礎上に設置するについて、新築・リフォーム，基礎の長短・土台の広狭に拘らず、工具を使わずに組み付け連結が自在のマルチパッキンを提供し、位置ずれアンカーボルトに対しては正規にあるいは上下反転して拡大された挿通孔で容易に挿通できる構造とし、高さをM12アンカーボルトの線径以下とすることでアンカーボルトの耐震強度を高め、防鼠の機能も発揮する。【選択図】    図１
2008248544.tif 000002
【特許請求の範囲】
【請求項１】
建物の基礎と土台間に用いられる床下通気用パッキンであって、凹凸の繰り返しによる波形状をした長短二種類の長さで数種類の異なる幅をもったパッキン材の中から、同じ長さで幅の異なるパッキン材S又はパッキン材Lを二列に並べて前記土台幅と同程度の長さを有する複数の繋ぎクリップ（S）で左右の端面で繋いで一体となして単体の通気用パッキンとして用いることができることを特徴とする組み付け連結自在の床下通気用マルチパッキン。
【請求項２】
凹凸の繰り返しによる波形状をした長短二種類の長さで数種類の異なる幅をもったパッキン材の中から、必要に応じた幅の異なるパッキン材S又はパッキン材L二個を長手方向に二列に複数並べて前記土台幅と同程度の長さを有する繋ぎクリップ（S）と繋ぎクリップ（W）を必要に応じて一個乃至複数左右の端面又は中間で繋いで不特定の長さを持った通気用パッキンとして用いることができることを特徴とする組み付け連結自在の床下通気用マルチパッキン。
【請求項３】
凹凸の繰り返しによる波形状をした長短二種類の長さで数種類の異なる幅をもったパッキン材の中から、必要に応じた幅の異なるパッキン材S又はパッキン材L二個を長手方向に二列に複数並べて前記土台幅と同程度の長さを有する繋ぎクリップ（S）と繋ぎクリップ（W）を必要に応じて一個乃至複数左右の端面又は中間で繋いで土台に対する支持受け幅を最大に生かしながら、且つ、幅４５ミリの筋交いとの干渉を避けるために基礎の中心から幅方向に２０ミリ程偏芯して立ち上がっているアンカーボルトに対して、正規にあるいは上下に反転しても通気用パッキンの機能を損なうことなく、無理なく挿通できるスペースを確保できることを特徴とする組み付け連結自在の床下通気用マルチパッキン。
【請求項４】
既存の住宅をリフォームするにおいて、アンカーボルトのナットをはずして土台を数センチ持ち上げ、二個のパッキン材S又はパッキン材Lを土台下でアンカーボルトを挟んでから、繋ぎクリップ（S）または繋ぎクリップ（W）で繋ぐことで、新築の住宅だけでなく、既存の住宅にも容易に通気用パッキンを設置できることを特徴とする組み付け連結自在の床下通気用マルチパッキン。
【請求項５】
素材には鋼板を用い、凹凸の繰り返しによる波形状で長短二種類の長さで数種類の異なる幅をもったパッキン材S及びパッキン材Lは、上下の水平面には複数の円筒突起を施し、左右端面の水平フランジ部は内側に向け、高さ寸法をアンカーボルトの線径以下とし、繋ぎクリップについては工具を用いることなく通気用パッキンの高さを一定に保ちながらセッティングできる（S）タイプと（W）タイプの二種類の繋ぎクリップを用途に応じて用いることができることを特徴とする組み付け連結自在の床下通気用マルチパッキン。
【発明の詳細な説明】
【技術分野】
【０００１】
本発明は、住宅のコンクリート基礎と木の土台の間に通気用の隙間を形成するについて、該隙間に介装される床下通気用パッキンに関する。
【背景技術】
【０００２】
床下換気材の通気パッキン（基礎パッキン、土台パッキン等その呼称は様々である）に関しては、特開２００５−３６６４７号公報や特開２００６−８３５６１号公報特開２００６−２１９８９０号公報等の長尺の通気パッキンが知られているが、いずれも一体型の樹脂成形品で裏返ししてはならない仕様のため、位置ずれアンカーボルトにも挿通させるために大きな角穴を中心部の長手方向に複数開けざるを得ず、そのため土台を支持する両サイドの受け幅が少なくならざるを得ない。
【０００３】
又、一定の長さの長尺の通気パッキンでは、半島基礎や島基礎と呼ばれる複雑な長さを持った基礎を初め、布基礎全体へまんべんなく敷き込むことは難しく、施工の現場ではその都度、基礎の長さに応じてノコギリ等で切断して対応しているのが実情である。
【０００４】
又、一般的な住宅の土台の幅は、２×４ (ツーバイフォー)用＝８９mm，在来３．５寸用＝１０５mm，在来４寸用＝１２０mm，在来４．５寸用＝１３５mmの四種類が圧倒的に多いが、これらに対応するためには、少なくとも四種類の一体型の樹脂成形品を用意しなければならず、成形用の金型費は勿論のこと、生産や管理の面からもコストが高くついてしまう。
【０００５】
更に、既存の建物をリフォームするにも一体型の樹脂成形品のため、アンカーボルトの立ち上がっている部位では、たとえノコギリ等で左右に切り離してアンカーボルトを左右から挟み込んだとしても端面を一体化できない構造であり、一体化しなければ樹脂である以上、荷重に対する強度や地震等での横滑りの問題が発生する恐れがあり、現実には建物のリフォーム用としては使用しづらい。
【０００６】
又、通気用パッキンの繋ぎ部品として、鋼板を用いた凹凸の繰り返しによる波形状で、内側に向けた左右端面の水平フランジの下に取り付ける連結用プレート登録実用新案第３１２３８０５号公報が知られているが、概連結用プレートでは板厚分だけ通気用パッキンの高さが不ぞろいとなる欠点がある。
【発明の開示】
【発明が解決しようとする課題】
【０００７】
上記欠点を解決する課題として、（１）土台を支持する通気パッキンの両サイドの受け幅の面積を少しでも多くとれる構造および機能とする。（２）数種類の土台幅に対応するために低コストで、且つ容易に組み付けられる構造および機能をもたせる。（３）コンクリート基礎の長さが不特定であっても容易に対応できる構造と機能をもたせる。（４）建物の新築だけでなく、リフォームにも使用可能な構造とする。という四点で一体型の樹脂成形品の弱点を克服し、（５）繋ぎプレートを用いても通気パッキンの高さを一定に保ち、品質を向上させることにある。
【０００８】
【特許文献１】特開第２００５−３６６４７号公報
【特許文献２】特開第２００６−８３５６１号公報
【特許文献３】特開第２００６−２１９８９０号公報
【特許文献４】登録実用新案第３１２３８０５号公報
【課題を解決するための手段】
【０００９】
本発明は、建物の基礎と土台間に用いられる床下通気用パッキンであって、凹凸の繰り返しによる波形状をした長短二種類の長さで数種類の異なる幅をもったパッキン材の中から、同じ長さで幅の異なるパッキン材S又はパッキン材Lを二列に並べて前記土台幅と同程度の長さを有する複数の繋ぎクリップ（S）で左右の端面で繋いで一体となして単体の通気用パッキンとして用いることができることを特徴とする。
【００１０】
また本発明は、凹凸の繰り返しによる波形状をした長短二種類の長さで数種類の異なる幅をもったパッキン材の中から、必要に応じた幅の異なるパッキン材S又はパッキン材L二個を長手方向に二列に複数並べて前記土台幅と同程度の長さを有する繋ぎクリップ（S）と繋ぎクリップ（W）を必要に応じて一個乃至複数左右の端面又は中間で繋いで不特定の長さを持った通気用パッキンとして用いることができることを特徴とする。
【００１１】
また本発明は、凹凸の繰り返しによる波形状をした長短二種類の長さで数種類の異なる幅をもったパッキン材の中から、必要に応じた幅の異なるパッキン材S又はパッキン材L二個を長手方向に二列に複数並べて前記土台幅と同程度の長さを有する繋ぎクリップ（S）と繋ぎクリップ（W）を必要に応じて一個乃至複数左右の端面又は中間で繋いで土台に対する支持受け幅を最大に生かしながら、且つ、幅４５ミリの筋交いとの干渉を避けるために基礎の中心から幅方向に２０ミリ程偏芯して立ち上がっているアンカーボルトに対して、正規にあるいは上下に反転しても通気用パッキンの機能を損なうことなく、無理なく挿通できるスペースを確保できることを特徴とする。
【００１２】
また本発明は、既存の住宅をリフォームするにおいて、アンカーボルトのナットをはずして土台を数センチ持ち上げ、二個のパッキン材S又はパッキン材Lを土台下でアンカーボルトを挟んでから、繋ぎクリップ（S）又は繋ぎクリップ（W）で繋ぐことで、新築の住宅だけでなく、既存の住宅にも容易に通気用パッキンを設置できることを特徴とする。
【００１３】
また本発明は、素材には鋼板を用い、凹凸の繰り返しによる波形状で長短二種類の長さで数種類の異なる幅をもったパッキン材S及びパッキン材Lは、上下の水平面には複数の円筒突起を施し、左右端面の水平フランジ部は内側に向け、高さ寸法をアンカーボルトの線径以下とし、繋ぎクリップについては工具を用いることなく通気用パッキンの高さを一定に保ちながらセッティングできる（S）タイプと（W）タイプの二種類の繋ぎクリップを用途に応じて用いることができることを特徴とする。
【発明の効果】
【００１４】
請求項１記載の組み付け連結自在の床下通気用マルチパッキンによれば、パッキン材S又はパッキン材Lと繋ぎクリップ（S）との組み付けでいかなる土台幅にも対応することができる。また請求項２記載の組み付け連結自在の床下通気用マルチパッキンによれば、複雑なながさをもった基礎に対応するために低コストで、且つ、容易に組み付けられる構造および機能をもつことができる。また請求項３記載の組み付け連結自在の床下通気用マルチパッキンによれば、土台を支持する通気パッキンの両サイドの受けの幅を少しでも多くとれる構造と位置ずれアンカーボルトの挿通にも容易に対応できる機能を備えることができる。また請求項４記載の組み付け連結自在の床下通気用マルチパッキンによれば、建物の新築だけでなく、リフォームにも使用可能な構造とすることで一体型の樹脂成形品の弱点を克服することができる。また請求項５記載の組み付け連結自在の床下通気用マルチパッキンによれば、繋ぎクリップを用いても通気パッキンの高さが一定に保たれて品質が向上する等、数多くの優れた効果が得られる。
【発明を実施するための最良の形態】
【００１５】
以下、本発明の組み付け連結自在の床下通気用マルチパッキン（以下マルチパッキンと称する）の実施の形態について詳述する。図１-1は長尺のマルチパッキンの一例としての平面図と側面図である。図１-2は単体の通気用パッキン材Sであり、図１-3は単体の通気用パッキン材Lである。図１-4は繋ぎクリップ（S）であり、図１-5は繋ぎクリップ（W）である。
【００１６】
本発明のマルチパッキンは複数のパッキン材S 図２-1,2と複数のパッキン材 L図２-1,2及び複数の繋ぎクリップ（S）図3-1と複数の繋ぎクリップ（W）図3-2からなる組み立て製品である。
【００１７】
パッキン材S 図２-1,2の一部を平面図と側面図で示し、図２-1,2は複数のパッキン材L-1,2の一部を平面図と側面図で示す。図3-1は繋ぎクリップ（S）の斜視図であり、図3-2は繋ぎクリップ（W）の斜視図である。
【００１８】
本発明の通気用パッキン材S 図2-1,2は素材には板厚０．８ミリの鋼板を用い、凹凸の繰り返しによる波形状1aで全長が１３３．８ミリ高さを９ミリとし、家の荷重に対する耐力を強めるために左右端面の水平フランジ部1bは内側に向けてあり、上下の水平面には高さ１．５ミリ程度内径が３ミリ程の複数の滑り防止用円筒突起1cを複数個施して地震等での横滑りを防止する機能をもたせてある。この内径３ミリ程の円筒突起の孔は、基礎又は土台に固定する場合のクギ止めの孔としても用いることが可能である。
【００１９】
本発明の通気用パッキン材L 図2-1,2は素材には板厚０．８ミリの鋼板を用い、凹凸の繰り返しによる波形状1aで全長が２７０．８ミリ高さを９ミリとし、家の荷重に対する耐力を強めるために左右端面の水平フランジ部1bは内側に向けてあり、上下の水平面には高さ１．５ミリ程度内径が３ミリ程の複数の滑り防止用円筒突起1cを複数個施して地震等での横滑りを防止する機能をもたせてある。この内径３ミリ程の円筒突起の孔は、基礎又は土台に固定する場合のクギ止めの孔としても用いることが可能である。
【００２０】
本発明の実施例で、土台幅１０５ミリの場合、パッキン材S-1は幅２１ミリ×長さ１３３．８ミリとパッキン材S-2の幅４３ミリ×長さ１３３．８ミリ。パッキン材L-1は幅２１ミリ×長さ２７０．８ミリとパッキン材L-2の幅４３ミリ×長さ２７０．８ミリの計４種類としている。その他、長さは同じで土台幅に応じた幅の異なるパッキン材Sとパッキン材Lは土台幅が多岐にわたるので、その代表的な種類と寸法を表（１）に示す。
【００２１】
【表１】
2008248544.tif 000003
【００２２】
表１によれば、パッキン材S-1とS-2、パッキン材L-1とL-2の長さは同じで土台幅に応じた幅の異なるパッキン材を組み付けることで異なる土台と位置ずれアンカーボルトへの対応が可能となる。
【００２３】
本発明の鋼板を用いた通気用パッキン材はプレス加工機またはロール成形機によって加工が可能である。
【００２４】
又、本発明のマルチパッキンの繋ぎクリップ（S）4は、素材に板厚０．８ミリの鋼板を用い、１０５ミリ土台用では幅６ミリ×長さ１０５ミリとしている。その他の土台用は００２１の表（１）に示すとおり、幅１０５ミリ土台用と同じ６ミリで長さのみ土台幅にあわせて変化する。その繋ぎクリップ（S）において、二個のパッキン材 図３-1,2に挟む左右のクリップ部4aの長さは、それぞれ７ミリ程、そこから先端の３ミリ程はパッキン材を挟む案内口として角度１０°〜３０°程鎌首をもたげ、長さ１０５ミリの中心から ややずれたところに幅６ミリ程×突出部５ミリ程の連結用Ｌ型の鉤4bを設けている。
【００２５】
次に、本発明のマルチパッキンの繋ぎクリップ（W）5は、素材に板厚０．８ミリの鋼板を用い、１０５ミリ土台幅用では幅３１．２ミリ×長さ１０５ミリとしている。その他の土台用は００２１の表（１）に示すとおり左右のパッキン材を長手方向に繋ぐ繋ぎ幅は１０５ミリ土台幅用と同じ３１．２ミリで、長さのみ土台幅にあわせて変化する。
【００２６】
その繋ぎクリップ（W）において、四個のパッキン材Ｓ 図２-1,2パッキン材Ｌ 図２-1,2に挟むクリップ部5aを両サイドの端部に４箇所設け、クリップの長さは、それぞれ７ミリ程、そこから先端の３ミリ程はパッキン材を挟む案内口として角度１０°〜３０°程鎌首をもたげ、左と右のパッキン材を長手方向に連結するのに幅１０ミリ×長さ３１．２ミリ程のブリッジ5bを二本 左右の端面から夫々１２ミリ程のところに設け、二本のブリッジの間の空域はアンカーボルト挿通孔１dとしている。
【００２７】
本発明の鋼板を用いたマルチパッキンの繋ぎクリップ（S）と繋ぎクリップ（W）はプレス加工機によって加工が可能である。  
【００２８】
上記００２４〜００２６に記載の繋ぎクリップ（S）4と繋ぎクリップ（W）5のクリップ部は幅６ミリで、凹凸の繰り返しによる波形状をしたパッキン材の縦面部９−（０．８×２）＝７．４ミリに挟む仕様であり、これによってクリップの板厚による通気用パッキン本体への高さの不具合は回避される。
【００２９】
そこで、本発明によるマルチパッキンの二種類の長さのパッキン材Sとパッキン材Lおよび繋ぎクリップ（Ｓ）と繋ぎクリップ（Ｗ）を基礎の長さに応じて組み合わせて設置するに当り、木造住宅で圧倒的に採用している尺モジュール１５０ミリ，３００ミリ，４５５ミリ，６００ミリ，７５０ミリ，９１０ミリ，あるいはそれ以上等、基礎の長さがあまりにも複雑多岐にわたるので代表的な種類と使用数を表（２）に示す。
【００３０】
【表２】
2008248544.tif 000004
【００３１】
表２以外の、例えば布基礎長が１８２０ミリの場合は９１０ミリを二個繋げばよく、それ以外も同様に対応することで、ノコギリ等の工具を用いることなく、すべての布基礎上に設置することが可能となる。
【００３２】
パッキン材S-1,2とパッキン材L-1,2を、繋ぎクリップ（S）または繋ぎクリップ（W）で繋ぎ、１０５ミリ土台用の通気用パッキン幅１０４−（パッキン材の幅２１＋４３）＝アンカーボルト挿通用の挿通孔1d ４０ミリが確保され、更に天地を反転することで２０ミリがプラスされて６０ミリの拡大された挿通用のスペースが得られ、位置ずれアンカーボルトにも容易に挿通できる構造にしている。
【００３３】
以上説明したように、本発明の通気用パッキン材S図1-2とパッキン材L 図1-3に繋ぎクリップ（S）4と繋ぎクリップ（W）5を取付けることで、異なる幅で成り立つ土台と異なる長さで成り立つ布基礎に対し、きめ細かな対応が可能となり、金型の費用は軽減され作業の現場における施工性は向上する。
【００３４】
尚、本発明のマルチパッキンは、数種類の幅をもった長短二種類の通気用パッキン材Sとパッキン材Lを数種類の繋ぎクリップ（S）と繋ぎクリップ（W）で繋ぎ、マルチパッキンとする組立て作業は、事前に組立工場で組立てるか施工の現場で組み立てるかどちらでも可能である。
【００３５】
尚、００１８〜００３２に示した数値は限定あるいは拘束されるものではなく、本発明の、組み付け自在の床下通気用マルチパッキンの本来の目的を達成するためには自由に数値変更ができる。
【００３６】
次に、高さを９ミリとしたことについての根拠としては、（１）基礎と土台間の隙間１０ミリと２０ミリとでは、M12アンカーボルトに対する曲げ耐力に大きな違いがあることと、（２）建築基準法施行令第２２条の２に “ねずみの侵入を防ぐための設備をすること”，住宅金融公庫「木造住宅工事仕様書」の床下換気の項に“ねずみの侵入を防ぐために強固なスクリーンを取り付けること”等の規定を根拠としている。
【００３７】
M12アンカーボルトの曲げ耐力比較試験内容は以下の通りである。
１．依頼者・・・・・有限会社 星野企画（本特許出願人）
２．試験名・・・・・M12アンカーボルトの曲げ耐力比較試験
３．試験日・・・・・2003年12月23日
４．試験機関・・・都立産業技術研究所
【００３８】
そこで本発明の高さ９ミリの通気用マルチパッキンが、耐震住宅の要であるM12アンカーボルトをサポートする優れた機能を有していることが上記００３７の曲げ耐力比較試験によって立証された。このことについては本特許出願人による出願、特開２００５−２２０７３６の文献 図７に開示されている。
【特許文献５】特開２００５−２２０７３６
【００３９】
以上が、大地震等でも簡単に曲がらないような高さ寸法をM12アンカーボルトの線径（１２ミリ）以下とすることの根拠であり、大地震時に基礎と土台の分野で住宅の安全確保に大きな貢献をすることになる。
【００４０】
次に、００３６（２）に示した、建築基準法施行令第２２条の２に “ねずみの侵入を防ぐための設備をすること”，住宅金融公庫「木造住宅工事仕様書」の床下換気の項に“ねずみの侵入を防ぐために強固なスクリーンを取り付けること”等の規定に対し、ねずみの侵入を防止できるスキマについての数値は示されていない。
【００４１】
そこで、本発明の通気用パッキンの高さ９ミリがいかに優れた防鼠の機能を有しているか、その根拠として参考文献１，２，３を以下に示す。
【非特許文献１】東京都福祉保健局健康安全室環境水道課のホームページ発信：H１７．６．２９発行『都民のためのねずみ防除読本』には「クマネズミは１２．５ミリの隙間があれば通り抜けられる」と複数個所に記載あり。
【非特許文献２】関西電気保安協会のホームページで発信：「キューピクルの天井部にある２５ミリの隙間を、尻尾を含めた長さ２０ｃｍほどのネズミが侵入し、さらにその先の１５ミリの隙間をくぐり抜けて電気事故を起こした」と２００３年１１月電話でも確認。
【非特許文献３】金丸弘美著「スーパーラット」徳間書店：「クマネズミは１．５セン                  チの穴があっても通る。」「床下の通気口の隙間は１センチ程度にし                  て。」等の記載が複数個所にあり。
【００４２】
更に、本発明の通気用マルチパッキンは、既存の住宅のリフォームにおいて、アンカーボルトのナットをはずして土台を数センチ持ち上げ、パッキン材Sまたはパッキン材Lを土台下でアンカーボルトを挟んでから、繋ぎクリップ（S）または繋ぎクリップ（W）で繋ぐことで、新築の住宅だけでなく、既存の住宅にも容易に通気用マルチパッキンを土台下に設置することができる。
【図面の簡単な説明】
【００４３】
【図１】本発明の実施形態による長尺の通気用マルチパッキンの平面図と側面図である。
【図２】本発明の実施形態による通気用パッキン材の一部の平面図と側面図である。
【図３】本発明の実施形態による繋ぎクリップ(S)と繋ぎクリップ(W)の斜視図である。
【符号の説明】
【００４４】
１    通気用マルチパッキン
１a   凹凸の繰り返しによる波形状
１b   水平端面部のフランジ
１c   円筒突起
１d   アンカーボルト挿通孔
２    通気用マルチパッキンS
３    通気用マルチパッキンL   
４    繋ぎクリップ（S）
４a   繋ぎクリップ（S）のクリップ部
４b   繋ぎクリップ（S）の連結用Ｌ型鉤
５    繋ぎクリップ（W）
５a   繋ぎクリップ（W）のクリップ部
５b   繋ぎクリップ（W）のブリッジ
Ｓｖ  幅方向の中心線
【図１】
2008248544.tif 000005
【図２】
2008248544.tif 000006
【図３】
2008248544.tif 000007